(57)【要約】【課題】電子メールに広告宣伝情報を付加して宛先の端末に送信するメール配信システム、メール配信サーバ、メール配信方法、及びメール配信プログラムを提供する。【解決手段】通信制御部１０１は、受信した電子メールの本文テキストをキーワード検索部１０３に供給する。キーワード検索部１０３は、受け取った本文テキストと、広告データベース１０４の文字列（Ａ、Ｂ、Ｃ、Ｄ、…）とを照合する（ステップＳ５０４）。ここではキーワードとなる「ディズニーランド」が文字列（Ａ、Ｂ、Ｃ、Ｄ、…）に含まれているので、該文字列及びドメイン１に対応する広告テキストを読み出して、広告挿入部１０２に供給する（ステップＳ５０５）。広告挿入部１０２は、受け取った広告テキストをメール本文に挿入する（ステップＳ５０６）。通信制御部１０１はコアネットワーク３００を経由して宛先の通信端末２００´にこの電子メールを送信する（ステップＳ５０７）。【選択図】図２
2007166264.tif 000002
【特許請求の範囲】
【請求項１】
電子メールの送受信機能を有する通信端末と、前記通信端末からネットワークを介して前記電子メールを受信し、宛先の通信端末に配信するメール配信サーバとを有し、前記メール配信サーバは前記電子メール本文中に広告テキストを挿入して登録利用者に配信するメール配信システムであって、
前記メール配信サーバは、
宛先電子メールアドレスのドメインの属性に対応する前記広告テキストとそれに関連するキーワードとをそれぞれ対応付けて記憶する広告テキスト記憶手段と、
広告を挿入しようとする前記電子メールのヘッダにて指定されている宛先電子メールアドレスのドメインを識別するドメイン識別手段と、
受信した前記電子メール本文中に前記キーワードが含まれるか否かを検索する検索手段と、
前記ドメイン識別手段によって識別された前記ドメインと、前記検索手段によって検索された前記キーワードとに対応する前記広告テキストを前記広告テキスト記憶手段から読み出す読出手段と、
前記読出手段によって読み出された前記広告テキストを前記電子メールの本文中に挿入する広告挿入手段とを有することを特徴とするメール配信システム。
【請求項２】
前記広告テキスト記憶手段は、携帯情報端末において処理可能な広告テキストと、非携帯情報端末において処理可能な広告テキストとを記憶し、
前記ドメイン識別手段によって前記宛先電子メールアドレスのドメインが前記携帯情報端末の前記ドメインと識別されたとき、前記読出手段は前記携帯情報端末によって処理可能な広告テキストを読み出し、
前記ドメイン識別手段によって前記宛先電子メールアドレスのドメインが前記非携帯情報端末の前記ドメインと識別されたとき、前記読出手段は前記非携帯情報端末によって処理可能な広告テキストを読み出すことを特徴とする請求項１記載のメール配信システム。
【請求項３】
前記広告テキスト記憶手段は、携帯情報端末において処理可能な広告テキストと、前記携帯情報端末及び非携帯情報端末のいずれにおいても処理可能な広告テキストとを記憶し、
前記ドメイン識別手段によって前記宛先電子メールアドレスのドメインが前記携帯情報端末の前記ドメインと識別されたとき、前記読出手段は前記携帯情報端末によって処理可能な広告テキストを読み出し、
前記ドメイン識別手段によって前記宛先電子メールアドレスのドメインが複数種類のドメインが識別されたとき、前記読出手段は前記携帯情報端末及び前記非携帯情報端末のいずれにおいても処理可能な広告テキストを読み出すことを特徴とする請求項１記載のメール配信システム。
【請求項４】
前記広告挿入手段は、前記広告テキスト記憶手段から読み出した広告テキストを広告ヘッダと広告フッタとの間に挟んで電子メールに挿入することを特徴とする請求項１から３のいずれか１項記載のメール配信システム。
【請求項５】
通信端末からネットワークを介して前記電子メールを受信し、宛先の通信端末に配信するメール配信サーバであって、
宛先電子メールアドレスのドメインの属性に対応する前記広告テキストとそれに関連するキーワードとをそれぞれ対応付けて記憶する広告テキスト記憶手段と、
広告を挿入しようとする前記電子メールのヘッダにて指定されている宛先電子メールアドレスのドメインを識別するドメイン識別手段と、
受信した前記電子メール本文中に前記キーワードが含まれるか否かを検索する検索手段と、
前記ドメイン識別手段によって識別された前記ドメインと、前記検索手段によって検索された前記キーワードとに対応する前記広告テキストを前記広告テキスト記憶手段から読み出す読出手段と、
前記読出手段によって読み出された前記広告テキストを前記電子メールの本文中に挿入する広告挿入手段とを有することを特徴とするメール配信サーバ。
【請求項６】
前記広告テキスト記憶手段は、携帯情報端末において処理可能な広告テキストと、非携帯情報端末において処理可能な広告テキストとを記憶し、
前記ドメイン識別手段によって前記宛先電子メールアドレスのドメインが前記携帯情報端末の前記ドメインと識別されたとき、前記読出手段は前記携帯情報端末によって処理可能な広告テキストを読み出し、
前記ドメイン識別手段によって前記宛先電子メールアドレスのドメインが前記非携帯情報端末の前記ドメインと識別されたとき、前記読出手段は前記非携帯情報端末によって処理可能な広告テキストを読み出すことを特徴とする請求項５記載のメール配信サーバ。
【請求項７】
前記広告テキスト記憶手段は、携帯情報端末において処理可能な広告テキストと、前記携帯情報端末及び非携帯情報端末のいずれにおいても処理可能な広告テキストとを記憶し、
前記ドメイン識別手段によって前記宛先電子メールアドレスのドメインが前記携帯情報端末の前記ドメインと識別されたとき、前記読出手段は前記携帯情報端末によって処理可能な広告テキストを読み出し、
前記ドメイン識別手段によって前記宛先電子メールアドレスのドメインが複数種類のドメインが識別されたとき、前記読出手段は前記携帯情報端末及び前記非携帯情報端末のいずれにおいても処理可能な広告テキストを読み出すことを特徴とする請求項５記載のメール配信サーバ。
【請求項８】
電子メールの送受信機能を有する通信端末と、前記通信端末からネットワークを介して前記電子メールを受信し、宛先の通信端末に配信するメール配信サーバとを有し、前記メール配信サーバは、宛先電子メールアドレスのドメインの属性に対応する前記広告テキストとそれに関連するキーワードとをそれぞれ対応付けて記憶する広告テキスト記憶手段とを有するメール配信システムのメール配信方法であって、
広告を挿入しようとする前記電子メールのヘッダにて指定されている宛先電子メールアドレスのドメインを識別するドメイン識別工程と、
受信した前記電子メール本文中に前記キーワードが含まれるか否かを検索する検索工程と、
前記ドメイン識別工程によって識別された前記ドメインと、前記検索工程によって検索された前記キーワードとに対応する前記広告テキストを前記広告テキスト記憶手段から読み出す読出工程と、
前記読出工程によって読み出された前記広告テキストを前記電子メールの本文中に挿入する広告挿入工程とを有することを特徴とするメール配信方法。
【請求項９】
前記広告テキスト記憶手段は、携帯情報端末において処理可能な広告テキストと、非携帯情報端末において処理可能な広告テキストとを記憶し、
前記ドメイン識別工程によって前記宛先電子メールアドレスのドメインが前記携帯情報端末の前記ドメインと識別されたとき、前記読出工程は前記携帯情報端末によって処理可能な広告テキストを読み出し、
前記ドメイン識別工程によって前記宛先電子メールアドレスのドメインが前記非携帯情報端末の前記ドメインと識別されたとき、前記読出工程は前記非携帯情報端末によって処理可能な広告テキストを読み出すことを特徴とする請求項８記載のメール配信方法。
【請求項１０】
前記広告テキスト記憶手段は、携帯情報端末において処理可能な広告テキストと、前記携帯情報端末及び非携帯情報端末のいずれにおいても処理可能な広告テキストとを記憶し、
前記ドメイン識別工程によって前記宛先電子メールアドレスのドメインが前記携帯情報端末の前記ドメインと識別されたとき、前記読出工程は前記携帯情報端末によって処理可能な広告テキストを読み出し、
前記ドメイン識別工程によって前記宛先電子メールアドレスのドメインが複数種類のドメインが識別されたとき、前記読出工程は前記携帯情報端末及び前記非携帯情報端末のいずれにおいても処理可能な広告テキストを読み出すことを特徴とする請求項８記載のメール配信方法。
【請求項１１】
電子メールの送受信機能を有する通信端末と、前記通信端末からネットワークを介して前記電子メールを受信し、宛先の通信端末に配信するメール配信サーバとを有し、前記メール配信サーバは、宛先電子メールアドレスのドメインの属性に対応する前記広告テキストとそれに関連するキーワードとをそれぞれ対応付けて記憶する広告テキスト記憶手段とを有するメール配信システムのメール配信プログラムであって、
広告を挿入しようとする前記電子メールのヘッダにて指定されている宛先電子メールアドレスのドメインを識別するドメイン識別処理と、
受信した前記電子メール本文中に前記キーワードが含まれるか否かを検索する検索処理と、
前記ドメイン識別処理によって識別された前記ドメインと、前記検索処理によって検索された前記キーワードとに対応する前記広告テキストを前記広告テキスト記憶手段から読み出す読出処理と、
前記読出処理によって読み出された前記広告テキストを前記電子メールの本文中に挿入する広告挿入処理とを有することを特徴とするメール配信プログラム。
【請求項１２】
前記広告テキスト記憶手段は、携帯情報端末において処理可能な広告テキストと、非携帯情報端末において処理可能な広告テキストとを記憶し、
前記ドメイン識別処理によって前記宛先電子メールアドレスのドメインが前記携帯情報端末の前記ドメインと識別されたとき、前記読出処理は前記携帯情報端末によって処理可能な広告テキストを読み出し、
前記ドメイン識別処理によって前記宛先電子メールアドレスのドメインが前記非携帯情報端末の前記ドメインと識別されたとき、前記読出処理は前記非携帯情報端末によって処理可能な広告テキストを読み出すことを特徴とする請求項１１記載のメール配信プログラム。
【請求項１３】
前記広告テキスト記憶手段は、携帯情報端末において処理可能な広告テキストと、前記携帯情報端末及び非携帯情報端末のいずれにおいても処理可能な広告テキストとを記憶し、
前記ドメイン識別処理によって前記宛先電子メールアドレスのドメインが前記携帯情報端末の前記ドメインと識別されたとき、前記読出処理は前記携帯情報端末によって処理可能な広告テキストを読み出し、
前記ドメイン識別処理によって前記宛先電子メールアドレスのドメインが複数種類のドメインが識別されたとき、前記読出処理は前記携帯情報端末及び前記非携帯情報端末のいずれにおいても処理可能な広告テキストを読み出すことを特徴とする請求項１１記載のメール配信プログラム。
【発明の詳細な説明】
【技術分野】
【０００１】
本発明は、メール配信システム、メール配信サーバ、メール配信方法、及びメール配信プログラムに関し、特に、電子メールに広告宣伝情報を付加して宛先の端末に送信するメール配信システム、メール配信サーバ、メール配信方法、及びメール配信プログラムに関する。
【背景技術】
【０００２】
従来から、電子メールに広告宣伝情報を付加して宛先の端末に送信する技術がある。例えば、メール配信サーバが、受信した電子メールの本文中の引用メッセージの行に広告テキスト記憶手段に記憶されるキーワードが含まれるか否かを検索し、含まれる場合はそのキーワードに対応する広告テキストを読み出して、広告であることを示す形式で電子メールに挿入し、通信端末が、受信した電子メールの本文中の広告テキストを削除して引用返信メールを作成することにより、有用な広告のみを電子メールに付加して宛先の端末に送信できると共に、同様な広告が重複して送信されるのを防ぐことができる通信端末、メール配信サーバ、及びメール配信システムが提案されている。
【０００３】
特許文献１では、電子メールの中継サーバに予め付加的に広告宣伝情報を登録し、電子メールの所定の貢に対して、サーバから所定の条件で自動選択した広告宣伝情報を付加し、受信側が送信文章閲覧時に広告宣伝情報を表示することにより、サーバは受信した電子メール本文に対して広告宣伝情報を付加して各端末に送信することができる電子メール・広告宣伝システムが提案されている。
【０００４】
特許文献２では、ユーザの発言を記憶するメッセージテーブルと、キーワードを含む広告発信基準テーブルと、広告情報を記憶する広告テーブルと、ユーザの発言をメッセージテーブルから読み込んで表示させる制御手段とを有し、制御手段は、表示させたユーザの発言の中に広告発信基準テーブル内のキーワードが存在するときに、そのキーワードに対応する広告情報を広告テーブルから読み込んでユーザに提供することにより、有用な広告情報をユーザに提供できるチャットシステムが提案されている。
【特許文献１】特開２００１−１７５５５４号公報
【特許文献２】特開２００１−１８４２８９号公報
【発明の開示】
【発明が解決しようとする課題】
【０００５】
しかし、上記の発明は以下の問題を有している。
【０００６】
上記の発明によれば、個人間で送受信される電子メールに、その電子メールの内容に沿った広告情報を付加することにより、各ユーザにとって有用な広告情報をユーザに提供できるが、送受信できる情報量や形式が異なる端末間においても、画一的に同様の広告情報が電子メールに付加されて送受信されるため、端末によっては電子メールを適切に受信できない。
【０００７】
従来のメール配信システムによる広告配信では、携帯情報端末に配信される広告付き電子メールを受信して、その広告からリンクされている広告主ホームページにジャンプしたときに、該広告主ホームページが正常に表示されない場合がある。具体的には、携帯情報端末が処理可能な言語を全く意識せずに、広告主ホームページのＵＲＬを一律に記載して作り込まれたものである。したがって、広告を受信したユーザが、その広告内容に興味を抱いて指定されたＵＲＬにジャンプしたとしても、広告の対象となるホームページが、当該ユーザの携帯情報端末の処理可能な言語に対応しておらず、その広告内容を正しく表示させることができない結果、広告効果を著しく低下させているという問題がある。
【０００８】
このような広告付きの電子メールは、例えば、デスクトップ型パーソナルコンピュータ、株式会社シャープのザウルス（登録商標）等に代表される非携帯情報端末でも、インターネットを介して受信されることが多い。
【０００９】
かかる場合に、携帯情報端末では、非携帯情報端末向けに作成されている広告主ホームページにアクセスすることができない。そのため、当該広告主ホームページにアクセスしても閲覧不可能であるユーザにまで広告を配信しているケースも多く、広告の非効率な配信、無用なトラフィックの発生等の問題がある。
【００１０】
そこで、本発明は、携帯情報端末を示すドメイン及び非携帯情報端末を示すドメインの各文字列（Ａ、Ｂ、Ｃ、Ｄ、…）に係わる広告テキストをそれぞれ広告データベースに格納しておくことにより、送信先のドメインとメール本文に含まれる文字列とに基づいて広告テキストを選択し、該メール本文に付加して送信先へ送信することにより、送受信できる情報量や形式に応じた広告情報を電子メールに付加することができ、かつ送信先の端末は適切に電子メールを受信することができるメール配信システム、メール配信サーバ、メール配信方法、及びメール配信プログラムを提案することを目的としている。
【課題を解決するための手段】
【００１１】
請求項１記載の発明は、電子メールの送受信機能を有する通信端末と、前記通信端末からネットワークを介して前記電子メールを受信し、宛先の通信端末に配信するメール配信サーバとを有し、前記メール配信サーバは前記電子メール本文中に広告テキストを挿入して登録利用者に配信するメール配信システムであって、前記メール配信サーバは、宛先電子メールアドレスのドメインの属性に対応する前記広告テキストとそれに関連するキーワードとをそれぞれ対応付けて記憶する広告テキスト記憶手段と、広告を挿入しようとする前記電子メールのヘッダにて指定されている宛先電子メールアドレスのドメインを識別するドメイン識別手段と、受信した前記電子メール本文中に前記キーワードが含まれるか否かを検索する検索手段と、前記ドメイン識別手段によって識別された前記ドメインと、前記検索手段によって検索された前記キーワードとに対応する前記広告テキストを前記広告テキスト記憶手段から読み出す読出手段と、前記読出手段によって読み出された前記広告テキストを前記電子メールの本文中に挿入する広告挿入手段とを有することを特徴とする。
【００１２】
請求項２記載の発明は、請求項１記載のメール配信システムにおいて、前記広告テキスト記憶手段は、携帯情報端末において処理可能な広告テキストと、非携帯情報端末において処理可能な広告テキストとを記憶し、前記ドメイン識別手段によって前記宛先電子メールアドレスのドメインが前記携帯情報端末の前記ドメインと識別されたとき、前記読出手段は前記携帯情報端末によって処理可能な広告テキストを読み出し、前記ドメイン識別手段によって前記宛先電子メールアドレスのドメインが前記非携帯情報端末の前記ドメインと識別されたとき、前記読出手段は前記非携帯情報端末によって処理可能な広告テキストを読み出すことを特徴とする。
【００１３】
請求項３記載の発明は、請求項１記載のメール配信システムにおいて、前記広告テキスト記憶手段は、携帯情報端末において処理可能な広告テキストと、前記携帯情報端末及び非携帯情報端末のいずれにおいても処理可能な広告テキストとを記憶し、前記ドメイン識別手段によって前記宛先電子メールアドレスのドメインが前記携帯情報端末の前記ドメインと識別されたとき、前記読出手段は前記携帯情報端末によって処理可能な広告テキストを読み出し、前記ドメイン識別手段によって前記宛先電子メールアドレスのドメインが複数種類のドメインが識別されたとき、前記読出手段は前記携帯情報端末及び前記非携帯情報端末のいずれにおいても処理可能な広告テキストを読み出すことを特徴とする。
【００１４】
請求項４記載の発明は、請求項１から３のいずれか１項記載のメール配信システムにおいて、前記広告挿入手段は、前記広告テキスト記憶手段から読み出した広告テキストを広告ヘッダと広告フッタとの間に挟んで電子メールに挿入することを特徴とする。
【００１５】
請求項５記載の発明は、通信端末からネットワークを介して前記電子メールを受信し、宛先の通信端末に配信するメール配信サーバであって、宛先電子メールアドレスのドメインの属性に対応する前記広告テキストとそれに関連するキーワードとをそれぞれ対応付けて記憶する広告テキスト記憶手段と、広告を挿入しようとする前記電子メールのヘッダにて指定されている宛先電子メールアドレスのドメインを識別するドメイン識別手段と、受信した前記電子メール本文中に前記キーワードが含まれるか否かを検索する検索手段と、前記ドメイン識別手段によって識別された前記ドメインと、前記検索手段によって検索された前記キーワードとに対応する前記広告テキストを前記広告テキスト記憶手段から読み出す読出手段と、前記読出手段によって読み出された前記広告テキストを前記電子メールの本文中に挿入する広告挿入手段とを有することを特徴とする。
【００１６】
請求項６記載の発明は、請求項５記載のメール配信サーバにおいて、前記広告テキスト記憶手段は、携帯情報端末において処理可能な広告テキストと、非携帯情報端末において処理可能な広告テキストとを記憶し、前記ドメイン識別手段によって前記宛先電子メールアドレスのドメインが前記携帯情報端末の前記ドメインと識別されたとき、前記読出手段は前記携帯情報端末によって処理可能な広告テキストを読み出し、前記ドメイン識別手段によって前記宛先電子メールアドレスのドメインが前記非携帯情報端末の前記ドメインと識別されたとき、前記読出手段は前記非携帯情報端末によって処理可能な広告テキストを読み出すことを特徴とする。
【００１７】
請求項７記載の発明は、請求項５記載のメール配信サーバにおいて、前記広告テキスト記憶手段は、携帯情報端末において処理可能な広告テキストと、前記携帯情報端末及び非携帯情報端末のいずれにおいても処理可能な広告テキストとを記憶し、前記ドメイン識別手段によって前記宛先電子メールアドレスのドメインが前記携帯情報端末の前記ドメインと識別されたとき、前記読出手段は前記携帯情報端末によって処理可能な広告テキストを読み出し、前記ドメイン識別手段によって前記宛先電子メールアドレスのドメインが複数種類のドメインが識別されたとき、前記読出手段は前記携帯情報端末及び前記非携帯情報端末のいずれにおいても処理可能な広告テキストを読み出すことを特徴とする。
【００１８】
請求項８記載の発明は、電子メールの送受信機能を有する通信端末と、前記通信端末からネットワークを介して前記電子メールを受信し、宛先の通信端末に配信するメール配信サーバとを有し、前記メール配信サーバは、宛先電子メールアドレスのドメインの属性に対応する前記広告テキストとそれに関連するキーワードとをそれぞれ対応付けて記憶する広告テキスト記憶手段とを有するメール配信システムのメール配信方法であって、広告を挿入しようとする前記電子メールのヘッダにて指定されている宛先電子メールアドレスのドメインを識別するドメイン識別工程と、受信した前記電子メール本文中に前記キーワードが含まれるか否かを検索する検索工程と、前記ドメイン識別工程によって識別された前記ドメインと、前記検索工程によって検索された前記キーワードとに対応する前記広告テキストを前記広告テキスト記憶手段から読み出す読出工程と、前記読出工程によって読み出された前記広告テキストを前記電子メールの本文中に挿入する広告挿入工程とを有することを特徴とする。
【００１９】
請求項９記載の発明は、請求項８記載のメール配信方法において、前記広告テキスト記憶手段は、携帯情報端末において処理可能な広告テキストと、非携帯情報端末において処理可能な広告テキストとを記憶し、前記ドメイン識別工程によって前記宛先電子メールアドレスのドメインが前記携帯情報端末の前記ドメインと識別されたとき、前記読出工程は前記携帯情報端末によって処理可能な広告テキストを読み出し、前記ドメイン識別工程によって前記宛先電子メールアドレスのドメインが前記非携帯情報端末の前記ドメインと識別されたとき、前記読出工程は前記非携帯情報端末によって処理可能な広告テキストを読み出すことを特徴とする。
【００２０】
請求項１０記載の発明は、請求項８記載のメール配信方法において、前記広告テキスト記憶手段は、携帯情報端末において処理可能な広告テキストと、前記携帯情報端末及び非携帯情報端末のいずれにおいても処理可能な広告テキストとを記憶し、前記ドメイン識別工程によって前記宛先電子メールアドレスのドメインが前記携帯情報端末の前記ドメインと識別されたとき、前記読出工程は前記携帯情報端末によって処理可能な広告テキストを読み出し、前記ドメイン識別工程によって前記宛先電子メールアドレスのドメインが複数種類のドメインが識別されたとき、前記読出工程は前記携帯情報端末及び前記非携帯情報端末のいずれにおいても処理可能な広告テキストを読み出すことを特徴とする。
【００２１】
請求項１１記載の発明は、電子メールの送受信機能を有する通信端末と、前記通信端末からネットワークを介して前記電子メールを受信し、宛先の通信端末に配信するメール配信サーバとを有し、前記メール配信サーバは、宛先電子メールアドレスのドメインの属性に対応する前記広告テキストとそれに関連するキーワードとをそれぞれ対応付けて記憶する広告テキスト記憶手段とを有するメール配信システムのメール配信プログラムであって、広告を挿入しようとする前記電子メールのヘッダにて指定されている宛先電子メールアドレスのドメインを識別するドメイン識別処理と、受信した前記電子メール本文中に前記キーワードが含まれるか否かを検索する検索処理と、前記ドメイン識別処理によって識別された前記ドメインと、前記検索処理によって検索された前記キーワードとに対応する前記広告テキストを前記広告テキスト記憶手段から読み出す読出処理と、前記読出処理によって読み出された前記広告テキストを前記電子メールの本文中に挿入する広告挿入処理とを有することを特徴とする。
【００２２】
請求項１２記載の発明は、請求項１１記載のメール配信プログラムにおいて、前記広告テキスト記憶手段は、携帯情報端末において処理可能な広告テキストと、非携帯情報端末において処理可能な広告テキストとを記憶し、前記ドメイン識別処理によって前記宛先電子メールアドレスのドメインが前記携帯情報端末の前記ドメインと識別されたとき、前記読出処理は前記携帯情報端末によって処理可能な広告テキストを読み出し、前記ドメイン識別処理によって前記宛先電子メールアドレスのドメインが前記非携帯情報端末の前記ドメインと識別されたとき、前記読出処理は前記非携帯情報端末によって処理可能な広告テキストを読み出すことを特徴とする。
【００２３】
請求項１３記載の発明は、請求項１１記載のメール配信プログラムにおいて、前記広告テキスト記憶手段は、携帯情報端末において処理可能な広告テキストと、前記携帯情報端末及び非携帯情報端末のいずれにおいても処理可能な広告テキストとを記憶し、前記ドメイン識別処理によって前記宛先電子メールアドレスのドメインが前記携帯情報端末の前記ドメインと識別されたとき、前記読出処理は前記携帯情報端末によって処理可能な広告テキストを読み出し、前記ドメイン識別処理によって前記宛先電子メールアドレスのドメインが複数種類のドメインが識別されたとき、前記読出処理は前記携帯情報端末及び前記非携帯情報端末のいずれにおいても処理可能な広告テキストを読み出すことを特徴とする。
【発明の効果】
【００２４】
本発明は、携帯情報端末を示すドメイン及び非携帯情報端末を示すドメインの各文字列（Ａ、Ｂ、Ｃ、Ｄ、…）に係わる広告テキストをそれぞれ広告データベースに格納しておくことにより、送信先のドメインとメール本文に含まれる文字列とに基づいて広告テキストを選択し、該メール本文に付加して送信先へ送信することにより、送受信できる情報量や形式に応じた広告情報を電子メールに付加することができ、かつ送信先の端末は適切に電子メールを受信することができる。
【発明を実施するための最良の形態】
【００２５】
以下に本発明の一実施形態に係わるメール配信システムの構成及び動作について説明する。
【００２６】
まず、本実施形態に係わるメール配信システムの構成について図１を用いて説明する。本実施形態に係わるメール配信システムは、基地局１０のセルＡ内にある通信端末２００、基地局２０のセルＢ内にある通信端末２００´とが、コアネットワーク３００を経由して通信可能である。もちろん、通信端末２００´はセルＡ内に位置していても通信可能である。コアネットワーク３００には、メール配信サーバ１００を経由して電子メールのやり取りを行う。通信端末２００としては、例えば携帯電話を想定している。
【００２７】
図２は、メール配信サーバ１００の構成を示すブロック図である。図３は、通信端末（２００、２００´）の構成を示すブロック図である。メール配信サーバ１００は、通信制御部１０１、広告挿入部１０２、広告挿入部１０３、及び広告データベース１０４を有して構成される。通信端末（２００、２００´）は、送受信部２０１、操作部２０２、広告検索部２０３、署名挿入部２０４、制御部２０５、及び記憶部２０６を有して構成される。
【００２８】
通信端末（２００、２００´）間における電子メールの送受信について説明する。通信端末２００から通信端末２００´に宛てて電子メールを送信するとき、メール配信サーバ１００は、電子メールを中継し、通信端末２００から送られてきた電子メールの本文中に広告を挿入して通信端末２００´に送信する。
【００２９】
図４及び５を用いて広告挿入動作について説明する。図４は、通信端末２００、通信端末２００´間で送受信される電子メールの構成を示す図であり、図５は、メール配信サーバ１００による広告挿入動作を示すフローチャートである。
【００３０】
ユーザは、メール作成にために通信端末２００の操作部２０２を操作すると、制御部２０５は、図４に示すようにメールヘッダとメール本文とを含む電子メールを作成する。なお、メール本文には、文字列Ａが含まれるものとする。通信端末２００は送受信部２０１から電子メールを送信すると、コアネットワーク３００を経由してメール配信サーバ１００が通信制御部１０１において受信し、電子メールのメールヘッダとメール本文とを抽出する（ステップＳ５０１）。通信制御部１０１は受信した電子メールのメールヘッダとメール本文とをキーワード検索部１０３に渡す。
【００３１】
キーワード検索部１０３は、まず、メールヘッダに含まれる送信先のドメインと比較するドメインｘを広告データベース１０４から読み出す。なお、最初にドメインｘを広告データベース１０４から読み出すときは、ｘ＝１と設定してドメイン１を読み出す（ステップＳ５０２）。そして、広告データベース１０４からドメインｘが読み出されると（ステップＳ５０２）、送信先のドメインがドメインｘに含まれるか否かを判断する（ステップＳ５０３）。
【００３２】
図６は、広告データベース１０４に格納される広告テキストを示す図である。各広告テキストは、キーワードと、ノートパソコン、サブノート、ＰＤＡ等の携帯情報端末を示す各ドメイン及び携帯できないデスクトップパソコン等の非携帯情報端末用のドメインとに関連付けられて格納されている。なお、本実施形態においては、携帯情報端末を示すｎ個のドメイン（１〜ｎ）及び非携帯情報端末を示す１個のドメイン０について、各文字列（Ａ、Ｂ、Ｃ、Ｄ、…）に係わる広告テキストが広告データベース１０４に格納されているものとする。
【００３３】
ここで、ドメイン（１〜ｎ）に対応する広告テキストは、携帯情報端末が処理可能な言語、例えばＣ−ＨＴＭＬ（Compact-Hyper Text Markup Language）、ＨＤＭＬ（Handheld Device Markup Language）、ＷＡＰ（Wireless Application Protocol）等を全く意識して、広告主のホームページのＵＲＬを一律に記載して作り込まれたものである。
【００３４】
一方、ドメイン０に対応する広告テキストは、携帯情報端末が処理可能な言語、例えばＣ−ＨＴＭＬ、ＨＤＭＬ、ＷＡＰ等を全く意識せずに、広告主ホームページのＵＲＬを一律に記載して作り込まれたものである。したがって、携帯情報端末において、広告を受信したユーザがその広告内容に興味を抱いて指定されたＵＲＬにジャンプしたとしても、広告の対象となるホームページが、当該ユーザの携帯情報端末の処理可能な言語に対応しておらず、その広告内容を正しく表示させることができない。
【００３５】
そして、送信先のドメインがドメイン１に含まれていた場合（ステップＳ５０３／ＹＥＳ）、受け取ったメール本文中に、キーワード検索部１０３は広告データベース１０４に格納されるキーワードが含まれるか否かを検索する。
【００３６】
ここで、具体例をも用いて説明する。図７（ａ）、（ｂ）は通信端末の表示画面に表示される電子メールを示す図であり、（ａ）は送信者の通信端末２００の表示画面上の電子メール、（ｂ）は宛先の通信端末２００´の表示画面上の電子メールを示す。図７（ａ）に示すように、通信端末２００において「こんにちは。今度ディズニー（登録商標）ランドに行きませんか？」という本文テキストを含む電子メールが作成されたとする。ユーザは操作部２０２を操作して、送受信部２０１からこの電子メールを通信端末２００´宛てに送信すると、コアネットワーク３００を介してメール配信サーバ１００が通信制御部１０１において受信する。通信制御部１０１は、受信した電子メールの本文テキストをキーワード検索部１０３に供給する。キーワード検索部１０３は、受け取った本文テキストと、広告データベース１０４の文字列（Ａ、Ｂ、Ｃ、Ｄ、…）とを照合する（ステップＳ５０４）。ここではキーワードとなる「ディズニーランド」が文字列（Ａ、Ｂ、Ｃ、Ｄ、…）に含まれているので、該文字列及びドメイン１に対応する広告テキストを読み出して、広告挿入部１０２に供給する（ステップＳ５０５）。
【００３７】
広告挿入部１０２は、受け取った広告テキストをメール本文に挿入する（ステップＳ５０６）。このとき、広告挿入部１０２は、図４及び図７（ｂ）に示すように、広告テキストを広告ヘッダ＜＜広告＞＞と広告フッダ＜＜ここまで広告＞＞との間に挟んで本文テキストの文末に挿入し、このメール本文を通信制御部１０１に供給する。通信制御部１０１はコアネットワーク３００を経由して宛先の通信端末２００´にこの電子メールを送信する（ステップＳ５０７）。通信端末２００´は、図７（ｂ）に示すような広告ヘッダと広告フッダに挟まれた広告テキストが挿入された電子メールを受信し、制御部２０５により記憶部２０６に格納する。
【００３８】
一方、送信先のドメインがドメインｘに含まれていなかった場合（ステップＳ５０３／ＮＯ）、ドメインｘがドメインｎであるか否かを判断する（ステップＳ５０８）。ドメインｘがドメインｎであった場合は（ステップＳ５０８／ＹＥＳ）、広告データベース１０４に格納された携帯情報端末用の全てのドメイン（１〜ｎ）と送信先のドメインとが一致しなかったと判断して、非携帯情報端末用の広告テキストの読み出しを行う。具体的には、まず、キーワード検索部１０３は、受け取った本文テキストと、広告データベース１０４の文字列（Ａ、Ｂ、Ｃ、Ｄ、…）とを照合する（ステップＳ５０４）。ここではキーワードとなる「ディズニーランド」が文字列（Ａ、Ｂ、Ｃ、Ｄ、…）に含まれているので、該文字列及びドメイン０に対応する広告テキストを読み出して、広告挿入部１０２に供給する（ステップＳ５０５）。
【００３９】
広告挿入部１０２は、受け取った広告テキストをメール本文に挿入する（ステップＳ５０６）。このとき、広告挿入部１０２は、図４及び図７（ｂ）に示すように、広告テキストを広告ヘッダ＜＜広告＞＞と広告フッダ＜＜ここまで広告＞＞との間に挟んで本文テキストの文末に挿入し、このメール本文を通信制御部１０１に供給する。通信制御部１０１はコアネットワーク３００を経由して宛先の通信端末２００´にこの電子メールを送信する（ステップＳ５０７）。通信端末２００´は、図７（ｂ）に示すような広告ヘッダと広告フッダに挟まれた広告テキストが挿入された電子メールを受信し、制御部２０５により記憶部２０６に格納する。
【００４０】
一方、ドメインｘがドメインｎでなかった場合は（ステップＳ５０８／ＮＯ）、ｘ＝ｘ＋１を設定し（ステップＳ５０９）、ドメインｘ＋１に送信先のドメインが含まれるかを判断する（ステップＳ５０３）。
【００４１】
上述の処理によれば、携帯情報端末を示すドメインとしてｎ個のドメイン（１〜ｎ）及び非携帯情報端末を示すドメインとして１個のドメイン０の各文字列（Ａ、Ｂ、Ｃ、Ｄ、…）に係わる広告テキストをそれぞれ広告データベースに格納しておくことにより、送信先のドメインとメール本文に含まれる文字列とに基づいて広告テキストを選択し、該メール本文に付加して送信先へ送信することにより、送受信できる情報量や形式に応じた広告情報を電子メールに付加することができるため、送信先の端末は適切に電子メールを受信することができる。
【００４２】
次に、他の実施形態に係わるメール配信システムの構成及び動作について説明する。
【００４３】
なお、図１において説明したメール配信システム、図２において説明したメール配信サーバ、図３において説明した通信端末、図４において説明した電子メール、及び図７において説明した電子メールの構成については、本実施形態においても同様であるため、ここでは説明を省略する。以下に、本実施形態に係わるメール配信システムにおける広告挿入動作について図８を用いて説明する。
【００４４】
ユーザは、メール作成にために通信端末２００の操作部２０２を操作すると、制御部２０５は、図４に示すようにメールヘッダとメール本文とを含む電子メールを作成する。なお、メール本文には、文字列Ａが含まれるものとする。通信端末２００は送受信部２０１から電子メールを送信すると、コアネットワーク３００を経由してメール配信サーバ１００が通信制御部１０１において受信し、電子メールのメールヘッダとメール本文とを抽出する（ステップＳ８０１）。通信制御部１０１は受信した電子メールのメールヘッダとメール本文とをキーワード検索部１０３に渡す。
【００４５】
次に、キーワード検索部１０３は、メールヘッダに複数種類の送信先のドメインが含まれるか否かを判別する（ステップＳ８０２）。ここで、メールヘッダに複数種類の送信先のドメインが含まれていた場合（ステップＳ８０２／ＹＥＳ）、広告データベース１０４から携帯情報端末及び非携帯情報端末のいずれにおいても処理可能な広告テキストの読み出しを行う。
【００４６】
図９は、広告データベース１０４に格納される広告テキストを示す図である。各広告テキストは、キーワードと、ノートパソコン、サブノート、ＰＤＡ等の携帯情報端末を示す各ドメイン、及び携帯できないデスクトップパソコン等の情報端末用のドメインとに関連付けられて格納されている。なお、本実施形態においては、携帯情報端末を示すｎ個のドメイン（１〜ｎ）及び非携帯情報端末とを示す１個のドメイン０について、各文字列（Ａ、Ｂ、Ｃ、Ｄ、…）に係わる広告テキストが広告データベース１０４に格納されているものとする。
【００４７】
ここで、ドメイン（１〜ｎ）に対応する広告テキストは、携帯情報端末が処理可能な言語、例えばＣ−ＨＴＭＬ（Compact-Hyper Text Markup Language）、ＨＤＭＬ（Handheld Device Markup Language）、ＷＡＰ（Wireless Application Protocol）等を全く意識して、広告主のホームページのＵＲＬを一律に記載して作り込まれたものである。
【００４８】
一方、ドメイン０に対応する広告テキストは、携帯情報端末及び非携帯情報端末のいずれにおいても処理可能な言語により、広告主ホームページのＵＲＬを一律に記載して作り込まれたものである。
【００４９】
具体的には、まず、キーワード検索部１０３は、受け取った本文テキストと、広告データベース１０４の文字列（Ａ、Ｂ、Ｃ、Ｄ、…）とを照合する（ステップＳ８０３）。ここではキーワードとなる「ディズニーランド」が文字列（Ａ、Ｂ、Ｃ、Ｄ、…）に含まれているので、該文字列及びドメイン０に対応する広告テキストを読み出して、広告挿入部１０２に供給する（ステップＳ８０４）。
【００５０】
広告挿入部１０２は、受け取った広告テキストをメール本文に挿入する（ステップＳ８０５）。このとき、広告挿入部１０２は、図４及び図７（ｂ）に示すように、広告テキストを広告ヘッダ＜＜広告＞＞と広告フッダ＜＜ここまで広告＞＞との間に挟んで本文テキストの文末に挿入し、このメール本文を通信制御部１０１に供給する。通信制御部１０１はコアネットワーク３００を経由して宛先の通信端末２００´にこの電子メールを送信する（ステップＳ８０６）。通信端末２００´は、図７（ｂ）に示すような広告ヘッダと広告フッダに挟まれた広告テキストが挿入された電子メールを受信し、制御部２０５により記憶部２０６に格納する。
【００５１】
キーワード検索部１０３は、まず、メールヘッダに含まれる送信先のドメインと比較するドメインｘを広告データベース１０４から読み出す。なお、最初にドメインｘを広告データベース１０４から読み出すときは、ｘ＝１と設定してドメイン１を読み出す（ステップＳ８０７）。そして、広告データベース１０４からドメインｘが読み出されると（ステップＳ８０７）、送信先のドメインがドメインｘに含まれるか否かを判断する（ステップＳ８０８）。
【００５２】
そして、送信先のドメインがドメイン１に含まれていた場合（ステップＳ８０８／ＹＥＳ）、受け取ったメール本文中に、キーワード検索部１０３は広告データベース１０４に格納されるキーワードが含まれるか否かを検索する。
【００５３】
ここで、具体例をも用いて説明する。図７（ａ）、（ｂ）は通信端末の表示画面に表示される電子メールを示す図であり、（ａ）は送信者の通信端末２００の表示画面上の電子メール、（ｂ）は宛先の通信端末２００´の表示画面上の電子メールを示す。図７（ａ）に示すように、通信端末２００において「こんにちは。今度ディズニーランドに行きませんか？」という本文テキストを含む電子メールが作成されたとする。ユーザは操作部２０２を操作して、送受信部２０１からこの電子メールを通信端末２００´宛てに送信すると、コアネットワーク３００を介してメール配信サーバ１００が通信制御部１０１において受信する。通信制御部１０１は、受信した電子メールの本文テキストをキーワード検索部１０３に供給する。キーワード検索部１０３は、受け取った本文テキストと、広告データベース１０４の文字列（Ａ、Ｂ、Ｃ、Ｄ、…）とを照合する（ステップＳ８０３）。ここではキーワードとなる「ディズニーランド」が文字列（Ａ、Ｂ、Ｃ、Ｄ、…）に含まれているので、該文字列及びドメイン１に対応する広告テキストを読み出して、広告挿入部１０２に供給する（ステップＳ８０４）。
【００５４】
広告挿入部１０２は、受け取った広告テキストをメール本文に挿入する（ステップＳ８０５）。このとき、広告挿入部１０２は、図４及び図７（ｂ）に示すように、広告テキストを広告ヘッダ＜＜広告＞＞と広告フッダ＜＜ここまで広告＞＞との間に挟んで本文テキストの文末に挿入し、このメール本文を通信制御部１０１に供給する。通信制御部１０１はコアネットワーク３００を経由して宛先の通信端末２００´にこの電子メールを送信する（ステップＳ８０６）。通信端末２００´は、図７（ｂ）に示すような広告ヘッダと広告フッダに挟まれた広告テキストが挿入された電子メールを受信し、制御部２０５により記憶部２０６に格納する。
【００５５】
一方、送信先のドメインがドメインｘに含まれていなかった場合（ステップＳ８０８／ＮＯ）、ドメインｘがドメインｎであるか否かを判断する（ステップＳ８０９）。ドメインｘがドメインｎであった場合は（ステップＳ８０９／ＹＥＳ）、広告データベース１０４に格納された携帯情報端末用の全てのドメイン（１〜ｎ）と送信先のドメインとが一致しなかったと判断して、携帯情報端末及び非携帯情報端末いずれにおいても処理可能な広告テキストの読み出しを行う。具体的には、まず、キーワード検索部１０３は、受け取った本文テキストと、広告データベース１０４の文字列（Ａ、Ｂ、Ｃ、Ｄ、…）とを照合する（ステップＳ８０３）。ここではキーワードとなる「ディズニーランド」が文字列（Ａ、Ｂ、Ｃ、Ｄ、…）に含まれているので、該文字列及びドメイン０に対応する広告テキストを読み出して、広告挿入部１０２に供給する（ステップＳ８０４）。
【００５６】
広告挿入部１０２は、受け取った広告テキストをメール本文に挿入する（ステップＳ８０５）。このとき、広告挿入部１０２は、図４及び図７（ｂ）に示すように、広告テキストを広告ヘッダ＜＜広告＞＞と広告フッダ＜＜ここまで広告＞＞との間に挟んで本文テキストの文末に挿入し、このメール本文を通信制御部１０１に供給する。通信制御部１０１はコアネットワーク３００を経由して宛先の通信端末２００´にこの電子メールを送信する（ステップＳ８０６）。通信端末２００´は、図７（ｂ）に示すような広告ヘッダと広告フッダに挟まれた広告テキストが挿入された電子メールを受信し、制御部２０５により記憶部２０６に格納する。
【００５７】
一方、ドメインｘがドメインｎでなかった場合は（ステップＳ８０９／ＮＯ）、ｘ＝ｘ＋１を設定し（ステップＳ８１０）、ドメインｘ＋１に送信先のドメインが含まれるかを判断する（ステップＳ８０８）。
【００５８】
上述の処理によれば、携帯情報端末を示すｎ個のドメイン（１〜ｎ）及び非携帯情報端末を示すドメインとして１個のドメイン０の各文字列（Ａ、Ｂ、Ｃ、Ｄ、…）に係わる広告テキストをそれぞれ広告データベースに格納しておくことにより、送信先のドメインとメール本文に含まれる文字列とに基づいて広告テキストを選択し、該メール本文に付加して送信先へ送信することにより、送受信できる情報量や形式に応じた広告情報を電子メールに付加することができるため、送信先の端末は適切に電子メールを受信することができる。また、本実施形態においては、メールヘッダに非携帯情報端末を示すドメイン、又は複数種類のドメインが含まれていた場合に、携帯情報端末及び非携帯情報端末のいずれにおいても処理可能な広告テキストをメール本文に付加することにより、全ての情報端末において適切に広告情報を読み込むことができる。
【図面の簡単な説明】
【００５９】
【図１】本発明によるメール配信システムの実施形態を示す概略図である。
【図２】メール配信サーバの構成を示すブロック図である。
【図３】通信端末の構成を示すブロック図である。
【図４】通信端末間で送受信される電子メールの構成を示す図である。
【図５】メール配信サーバによる広告挿入動作を示すフローチャートである。
【図６】広告データベースに格納される広告情報を示す図である。
【図７】（ａ）、（ｂ）は通信端末の表示画面に表示される電子メールを示す図である。
【図８】他の実施形態に係わるメール配信サーバによる広告挿入動作を示すフローチャートである。
【図９】広告データベースに格納される広告情報を示す図である。
【符号の説明】
【００６０】
１０、２０    基地局
１００    メール配信サーバ
１０１    通信制御部
１０２    広告挿入部
１０３    キーワード検索部
１０４    広告データベース
２００、２００´    通信端末
２０１    送受信部
２０２    操作部
２０３    広告検索部
２０４    署名挿入部
２０５    制御部
２０６    記憶部
３００    コアネットワーク
【図１】
2007166264.tif 000003
【図２】
2007166264.tif 000004
【図３】
2007166264.tif 000005
【図４】
2007166264.tif 000006
【図５】
2007166264.tif 000007
【図６】
2007166264.tif 000008
【図７】
2007166264.tif 000009
【図８】
2007166264.tif 000010
【図９】
2007166264.tif 000011